(57)【要約】【課題】本発明は金網柵に近づき難く、かつ飛び越え難く、又柵の下部潜行侵入を防止する金網フェンスを得ることを目的とする。【解決手段】並列縦線１，１’と並列横線２，２’とを交互に交差緩着３，３’させて本柵４を形成し、本柵４の下部４’に、上記並列縦線１，１’に対応する短縦線１”と交差緩着３，３’させた並列横線２，２’とよりなる裾柵５を配置し、裾柵５の基部横線２ａを上記本柵４の下部に昇降回動自在に遊支し、該遊支部の下方に上記本柵４の下端部４’を延長してなる金網フェンス。【選択図】図１
2007291699.tif 000002
【特許請求の範囲】
【請求項１】
並列縦線と並列横線とを交互に交差緩着させて本柵を形成し、
本柵の下部に、上記並列縦線に対応する短縦線と交差緩着させた並列横線とよりなる裾柵を配置し、
裾柵の基部横線を上記本柵の下部に昇降回動自在に遊支し、
該遊支部の下方に上記本柵の下端部を延長してなる金網フェンス。
【請求項２】
上記緩着が、上記縦線と上記横線との交差部に形成した互に対向する波形屈曲部を係合させてなる請求項１記載の金網フェンス。
【請求項３】
上記緩着が、上記縦線と上記横線との交差部に形成した直線部と波形屈曲部とを係合させてなる請求項１記載の金網フェンス。
【請求項４】
請求項２記載の緩着と、請求項３記載の緩着とを縦方向及び又は横方向に交互に形成した請求項１記載の金網フェンス。
【発明の詳細な説明】
【技術分野】
【０００１】
本発明は猪などの動物の進入を防衛する金網フェンスに関するものである。
【背景技術】
【０００２】
従来、複数の縦線と横線とを交互に前後に波形屈曲部相互又は直線部と波形屈曲部とを交差させ、縦線の上下端を上下に延長し、延長下端を地面に埋設して動物の地面下潜行進入及び延長上端により上端飛び越え進入を防止した（例えば特許文献１、２）。
【０００３】
しかし延長下端を埋設しても、上端を飛び越える猪などの動物の進入を防止し難いという問題があった。
【特許文献１】特開２００２−８１２３１号公報
【特許文献２】登録意匠１２５３９３３号公報
【発明の開示】
【発明が解決しようとする課題】
【０００４】
本発明は金網柵に近づき難く、かつ飛び越え難く、又柵の下部潜行進入を防止する金網フェンスを得ることを目的とする。
【課題を解決するための手段】
【０００５】
上記の目的を達成するため本発明は
第１に並列縦線と並列横線とを交互に交差緩着させて本柵を形成し、本柵の下部に、上記並列縦線に対応する短縦線と交差緩着させた並列横線とよりなる裾柵を配置し、裾柵の基部横線を上記本柵の下部に昇降回動自在に遊支し、該遊支部の下方に上記本柵の下端部を延長してなる金網フェンス、
第２に上記緩着が、上記縦線と上記横線との交差部に形成した互に対向する波形屈曲部を係合させてなる上記第１発明記載の金網フェンス、
第３に上記緩着が、上記縦線と上記横線との交差部に形成した直線部と波形屈曲部とを係合させてなる上記第１発明記載の金網フェンス、
第４に上記第２発明記載の緩着と、第３発明記載の緩着とを縦方向及び又は横方向に交互に形成した上記第１発明記載の金網フェンス、
によって構成される。
【０００６】
従って猪などの動物が上記フェンスに近づくと裾柵が手前地面に向って下向に傾斜し、裾柵の手前縁が地面に接地しているため猪のような蹄動物は短縦線間に蹄が進入するおそれがあって近寄ることができず、上記フェンスを飛び越えることができない。
【０００７】
又上記裾柵を上記遊支部の上方に押し上げて地面と裾柵との間に進入しても上記フェンスの下端部に阻止されてフェンス内に進入することができない。
【発明の効果】
【０００８】
本発明は上述のように構成したので、猪などの動物は上記本柵に近づくことができず、本柵を飛び越えることができないし、裾柵の下に潜っても本柵の下端部に阻止されて本柵を潜って進入することができないという効果がある。
【０００９】
又縦横線は交差緩着し、そのため本柵と裾柵とは菱形に傾倒又は変形し得て傾斜地面において縦線を直立し得る効果がある。
【発明を実施するための最良の形態】
【００１０】
両端部を小間隔ｔに中間部を比較的大間隔Ｔに等長の鋼製縦線１，１’を並列し、３条１組の等長の鋼製横線２，２’を複数組並列する。
【００１１】
上記並列縦線１，１’と並列横線２，２’とは交差緩着３，３’させて本柵４を形成し、本柵４の下部に手前に向って裾柵５を横向コイル６等によって遊支する。
【００１２】
裾柵５は上記並列縦線１，１’と対応する複数の短縦線１”，１”と、これに交差緩着３，３’させた並列横線２，２’とによって形成され、
【００１３】
裾柵５の基部横線２ａと上記本柵４の下部横線２”とを上記横向コイル６又はリング或はフック等内に配置して該裾柵５を横向コイル６等の上下に昇降回動自在に遊支し（図２（イ）（ロ）図）、
【００１４】
該コイル６による遊支部の下方に上記本柵４の下端部４’を延長し、延長端を地面７に支持して図１、図２（イ）（ロ）図に示す金網フェンスＨを形成する。
【００１５】
上記緩着部３，３’は上記縦線１，１’と上記横線２，２’とのそれぞれの交差部に形成され、図３に示すように互に対向する波形屈曲部７，７’を係合させてなるものであり、
【００１６】
又、上記縦線１，１’と上記横線２，２’とのそれぞれの交差部に形成した直線部８と波形屈曲部７又は７’とを係合させてなり、
【００１７】
或は上記対向波形屈曲部７，７’の係合緩着３と、直線部８と波形屈曲部７’との係合緩着３’とを縦方向及び横方向に交互に形成することができる（図３にその状態を示す）。
【００１８】
図５に示すように隣接本柵４，４の両側縦線１，１を縦コイル６’で遊支して本柵４及び裾柵５を横方向に並列することが可能である。
【００１９】
上記本柵４を地面９に直立させると裾柵５は図１、図２（イ）図に示すように前方に傾斜して先端が地面に接する。
【００２０】
この状態では猪などの有蹄動物は裾柵５を踏むことができないため、本柵４に近寄ることができないから本柵４を飛び越えることはできない。
【００２１】
図２（ロ）図に示すように頭部で横コイル６による遊支部の上方に裾柵５を持上げて裾柵５の下に進入したとしても本柵４の下端部４’に阻止されて本柵４を潜ることはできない。
【産業上の利用可能性】
【００２２】
傾斜地面９では図１仮想線で示すように並列縦線１，１’を傾けることによって該縦線１，１’を直立させて使用することができる。その際交差緩着部３，３’では縦横線１，２又は１’，２’が互に斜交するものである。
【図面の簡単な説明】
【００２３】
【図１】本発明の金網フェンスを示す斜視図である。
【図２】（イ）（ロ）図は金網フェンスの本柵及び裾柵を示す側面図である。
【図３】図１の一部拡大斜視図である。
【図４】（イ）図は図１の一部平面図、（ロ）図は本柵の下端隅部及び裾柵の一部正面図、（ハ）図は（ロ）図を右方から見た側面図である。
【図５】図１の横方向接続斜視図である。
【図６】図５の分解図であって（イ）図は本柵の正面図、（ロ）図は横向コイルの正面図、（ハ）図は裾柵の正面図、（ニ）図は縦向コイルの正面図、（ホ）図は本柵の一部正面図である。
【符号の説明】
【００２４】
１，１’    並列縦線
１”        短縦線
２，２’    並列横線
２”        下部横線
２ａ        基部横線
３，３’    交差緩着部
４          本柵
４’        下部
５          裾柵
６          横向コイル
【図１】
2007291699.tif 000003
【図２】
2007291699.tif 000004
【図３】
2007291699.tif 000005
【図４】
2007291699.tif 000006
【図５】
2007291699.tif 000007
【図６】
2007291699.tif 000008
【手続補正書】
【提出日】平成19年6月4日(2007.6.4)
【手続補正１】
【補正対象書類名】特許請求の範囲
【補正対象項目名】請求項１
【補正方法】変更
【補正の内容】
【請求項１】
並列縦線と並列横線とを交互に交差緩着させて本柵を形成し、
本柵の下部に、上記並列縦線に対応する短縦線と交差緩着させた並列横線とよりなる裾柵を配置し、
裾柵の基部横線と上記本柵の下部横線とを昇降回動自在に横向コイルによって遊支し、
該遊支部の下方に上記本柵の下端部を延長してなる金網フェンス。
【手続補正２】
【補正対象書類名】明細書
【補正対象項目名】０００５
【補正方法】変更
【補正の内容】
【０００５】
上記の目的を達成するため本発明は
第１に並列縦線と並列横線とを交互に交差緩着させて本柵を形成し、本柵の下部に、上
記並列縦線に対応する短縦線と交差緩着させた並列横線とよりなる裾柵を配置し、裾柵の
基部横線と上記本柵の下部横線とを昇降回動自在に横向コイルによって遊支し、該遊支部の下方に上記本柵の下端部を延長してなる金網フェンス、
第２に上記緩着が、上記縦線と上記横線との交差部に形成した互に対向する波形屈曲部
を係合させてなる上記第１発明記載の金網フェンス、
第３に上記緩着が、上記縦線と上記横線との交差部に形成した直線部と波形屈曲部とを
係合させてなる上記第１発明記載の金網フェンス、
第４に上記第２発明記載の緩着と、第３発明記載の緩着とを縦方向及び又は横方向に交
互に形成した上記第１発明記載の金網フェンス、
によって構成される。